(57)【要約】  システム（１０）は、ツール内部に、ツールの使用を阻止または正式に許可するために、ツール（１）をロック／ロック解除するための電子モジュール（５）と、制御ステーション（２０）内部に、モジュールをロック状態（Ｉ１）からロック解除状態（Ｉ０）に切り換えるように設計されている、ツール（１）のロック／ロック解除モジュール（５）用の制御モジュール（８）を具備する。本発明は、シーリング、釘打ち、および他の類似の適用にも良好に適用できる。
2009520890.tif 000002
【特許請求の範囲】
【請求項１】
携帯型手動操作ツール用の盗難防止安全ツール（１）用システム（１０）であって、前記ツール内部に、前記ツール（１）を、前記ツール（１）の使用を阻止または正式に許可するために、電子的にロック／ロック解除するためのモジュール（５）と、制御ステーション（２０）内部に、前記モジュール（５）をロック状態（Ｉ１）からロック解除状態（Ｉ０）に切り換えるように設計されている、前記ツール（１）のロック／ロック解除モジュール（５）用の制御モジュール（５）であるモジュール（８）と、を具備するシステム。
【請求項２】
前記ロッキングツール（１）のモジュール（５）は、前記制御ステーション（２０）の制御モジュール（８）により、前記ツール（１）のロック／ロック解除モジュール（５）にロードされた電子ロック解除キーの動作の下で、前記ロック状態（Ｉ１）からロック解除状態（Ｉ０）に切り換わるように設計されている請求項１に記載のシステム。
【請求項３】
前記ツール（１）のロック／ロック解除モジュール（５）は、マイクロコントローラ（６）と、前記電子ロック解除キーを受け取り、前記ツール（１）をロック解除するために、前記マイクロコントローラ（６）により読まれるようになっている格納メモリ（７）と、を具備する請求項１または２に記載のシステム。
【請求項４】
前記制御ステーション（２０）の前記ロック解除キーは、ワイヤ接続（１４、１６）により前記ツール（１）にロードされる請求項１から３のいずれか１項に記載のシステム。
【請求項５】
前記制御ステーション（２０）の前記ロック解除キーは、無線リンク接続（１６、１４）により前記ツール（１）にロードされる請求項１から３のいずれか１項に記載のシステム。
【請求項６】
前記制御ステーション（２０）の前記ロック解除キーは、前記制御ステーション（２０）の制御モジュール（８）のコンピュータ（９）により前記ツール（１）にロードされる請求項１から５のいずれか１項に記載のシステム。
【請求項７】
請求項１に記載の前記システム（１０）にカスタマイズされた携帯型手動操作ツール（１）であって、電子ロック解除キーを受け取り、前記ツール（１）を、ロック解除状態（Ｉ０）に切り換えるように設計されている（７、１４）、前記ツール（１）の使用を阻止または正式に許可するための電子ロック／ロック解除モジュール（５）を具備するツール。
【請求項８】
販売後サービスのための診断モジュール（１１）と、前記ツール（１）を販売後ステーション（１３、１２）に接続するための接続回路（１４）と、を具備し、前記接続回路（１４）は、前記電子ロック解除キーのロードを保証する請求項７に記載のツール。
【請求項９】
前記ロック／ロック解除モジュール（５）は、前記電子ロック解除キーを受け取るためのトランスポンダ（１４）に接続される請求項７または８に記載のツール。
【発明の詳細な説明】
【技術分野】
【０００１】
本発明は、シーリング、固定、釘打ち、ネジ止め、ステープル打ち付け、穴あけ用ツールや、他の鋸、穿孔機などのような、建設業界において使用される携帯型ツールに関する。
【背景技術】
【０００２】
これらの装置は現在では、一般的には店や、「スーパーストア」として知られている商業施設において販売されており、個人または専門家により構成される顧客の需要を満たしている。そのような場合においては、これらの装置は一般的には万引きの対象となる。
【０００３】
この不都合点を防止するために、現在では、ラジオ、電話などのようなすべての電子装置または家電製品に対するのと同じように、ツールを「鍵付き空間に入れる」という初歩的な方法が採用されている。
【発明の開示】
【発明が解決しようとする課題】
【０００４】
この方法では、販売員がツールのロックを解除する前に、そのツールの購入に関心がある顧客に、金銭レジスタまたはチェックアウトステーションで前以て支払いを済まさせ、販売スリップの提示により、それを顧客が持ち帰ることができるようにする必要がある。従って、この工程は、顧客にとっても販売員にとっても厄介な作業である。
【０００５】
問題は、ツールを格納するための倉庫においても同じであることに気付くであろう。
【課題を解決するための手段】
【０００６】
本出願者は、このタイプの盗難に対する、より実際的な防止または安全手段を追求し、そのため、ここで本発明を開示する。
【０００７】
従って、本発明は、まず第１に、携帯型手動操作ツール用盗難防止安全システムに関し、このシステムは、ツール内に、ツールの使用を阻止または正式に許可するために、ツールをロック／ロック解除するための電子モジュールと、制御ステーション内に、モジュールをロック状態からロック解除状態に切り換えるように設計された、ツールのロック／ロック解除モジュール用制御モジュールと、を具備する。
【０００８】
この場合は、金銭レジスタまたはチェックアウトステーションである制御ステーションに進む前は、ツールはロック状態にあり、使用を阻止されており、この制御ステーションまで進んではじめて、ロックが解除されてその使用が正式に許可される。
【０００９】
好ましくは、ツールのロッキングモジュールは、制御ステーションの制御モジュールにより、ツールのモジュール内に搭載された電子ロック解除キーの作動の下で、ロック状態からロック解除状態に切り換わるように設計される。
【００１０】
本発明のシステムおよびツールの好適な実施の形態においては、ツールのロック／ロック解除モジュールは、マイクロコントローラと、電子ロック解除キーを受け取り、ツールをロック解除するためにマイクロコントローラにより読まれるようになっている記憶装置を具備する。
【００１１】
本発明のシステムにおいては、制御ステーションのロック解除キーは、制御ステーションの制御モジュールのコンピュータにより、ワイヤまたは無線リンク接続によりツールにロードできる。
【００１２】
本発明は同様に、システムの適合化携帯型手動操作ツールにも関し、このツールは、ツールの使用を阻止または正式に許可するための電子ロック／ロック解除モジュールを具備し、モジュールは、電子ロック解除キーを受け取り、ツールをロック解除状態に切り換えるように設計されている。
【００１３】
ツールは、販売後サービスのための診断モジュールを具備でき、この場合は、この接続回路が電子ロック解除キーのロードを保証することは興味深い。
【００１４】
更により好ましくは、ツールのロック／ロック解除モジュールは、電子ロック解除キーを受け取るためのトランスポンダに接続されている。
【００１５】
本発明は、本発明による携帯型自動ツール用盗難防止安全システムの下記の記述と、盗難防止安全システムの好適な実施の形態が、ツールおよびチェックアウトステーション上に分布された機能ブロックとして示されている付随する単一の図を考慮することで、より良く理解されるであろう。
【発明を実施するための最良の形態】
【００１６】
携帯型ツール１は、ガス作動固定装置の場合は、例えば、燃焼室、燃料補給品、固定要素を駆動するピストンなどを含む機能ユニット２を具備する。
【００１７】
ユニット２を制御して、その適切な機能を監視するために、ツールは、この場合は、手動制御部４に接続されたマイクロプロセッサ３である、制御モジュール３を具備する。
【００１８】
この場合、ツール１は、マイクロプロセッサ３の電子的ロック／ロック解除のためのモジュール５もまた具備する。このモジュール５は、メモリ７とマイクロコントローラ６を具備する。
【００１９】
初期状態Ｉ１においては、メモリ７は空またはゼロである。この初期状態Ｉ１において、または特別な固有ロック解除状態Ｉ０を除く、他の任意の状態Ｉ２においては、マイクロプロセッサ３は、手動制御部４により発行された如何なるコマンドも、ユニット２に送信しない。ツール１は、メモリ７が状態Ｉ０ではない限り、ロックされ、使用不可の状態のままである。
【００２０】
実際は、ロック／ロック解除モジュール５は、盗難防止安全ツール１であるシステム１０の一部であり、更に、この安全システム１０は、メモリ７を状態Ｉ１、または他の任意の状態Ｉ２から状態Ｉ０へシフトするように設計されている、ツール１に対して外側の制御モジュール７を具備する。
【００２１】
制御モジュール８は、例えば、チェックアウトまたは販売ステーション２０に組み込める。
【００２２】
制御モジュール８は、マイクロコントローラ６により、メモリ７の状態Ｉ１またはＩ２から、特別状態Ｉ０に変化することを可能にするコンピュータ９を具備する。
【００２３】
これを達成するために、本発明の、相対的に簡単な第１実施の形態によれば、マイクロコントローラ６とコンピュータ９は、送信機１６と受信機１４によりワイヤレスで接続される。
【００２４】
例えば、モジュール５は、従来は、トランスポンダ回路１４に接続され、ステーション２０に進むときは、コンピュータ９は、送信機１６によりトランスポンダ１４を起動して、それにロック解除キーを送信する。そして、マイクロコントローラ６は、メモリ７の状態を、状態Ｉ０に変更する。変更された状態は、マイクロプロセッサ３により感知され、マイクロプロセッサ３はツール１をロック解除して、使用できるようにする。
【００２５】
反対に、チェックアウトステーション２０を通らずに、ツール１が詐欺的に持ち去られると、メモリ７に電子キーが格納されていないので、それは使用が阻止された状態のままであり、従って、使用できない。
【００２６】
本発明の、更に開発され、しかし好適な実施の形態によれば、ツール１は、販売後サービスのための診断モジュール１１を具備する。
【００２７】
このモジュール１１は、ツール１の使用中にツール１に影響を与える事象を、メモリ７内に記録する。同時に、販売後ステーション１２は、保守または故障探求操作中に、例えば、ステーション１２の記録データ取得ポート１３に接続できる、ツール１の記録読取りポート１４により確立されたワイヤ接続（ＲＳ  ４３２または他の接続）により、メモリ７へのこれらの事象の記録を読むことができる。
【００２８】
この好適な実施の形態においては、マイクロコントローラ６とコンピュータ９は、ステーション１２により使用されるものと同じワイヤ接続により接続され、制御モジュール８は、読取りポート１４に接続されるために提供されるポート１６を具備する。
【００２９】
図の例においては、ロック／ロック解除モジュール５は、モジュール１１の一部であり、ステーション１２を介してのツール１のロッキング管理を可能にする。
【００３０】
従って、安全操作は、前述した、簡略化された本発明の実施の形態と同様な方法で機能する。
【図面の簡単な説明】
【００３１】
【図１】図１は、盗難防止安全システムの好適な実施の形態を、ツールおよびチェックアウトステーション上に分布された機能ブロックとして示す。
【図１】
2009520890.tif 000003
【国際調査報告】
2009520890.tif 000004
2009520890.tif 000005
2009520890.tif 000006